(57)【要約】【課題】盤ボックスの箱体の設置と内装機器の評価とを並行して行うことを可能にする。【解決手段】一面のみに開閉扉を設けた箱体と、スライド機構を介して抜き差し自在に前記箱体に内装されたフレームと、搭載用ピッチで前記フレームに多段に開口された複数のピッチ孔と、前記スライド機構と反対側の前記フレームの辺に前記搭載用ピッチと異なる規格で前記フレームに開口された開口部とを少なくとも有している。前記ピッチ孔と異なる規格で設けた前記開口部を参照することにより、箱体から抜き取ったフレームに機器を搭載した状態で評価を行い、分解せずにフレームを単位として機器を屋外の箱体まで搬入しフレームを箱体に差し込むことにより、前記箱体内に機器を組み付ける。【選択図】図１
2014199860.tif 000002
【特許請求の範囲】
【請求項１】
機器を設置する盤ボックスにおいて、
一面のみに開閉扉を設けた箱体と、
機器が搭載された状態でスライド機構を介して前記開閉扉側から抜き差し自在に前記箱体に内装されたフレームと、
前記機器の搭載用ピッチで前記フレームに多段に開口された複数のピッチ孔と、
前記スライド機構と反対側の前記フレームの辺に前記搭載用ピッチと異なる規格で前記フレームに開口された開口部と、
前記開口部を介して前記フレームを前記箱体内に着脱自在に固定する固定具と、
を有することを特徴とする盤ボックス。
【請求項２】
前記スライド機構は、前記開閉扉側の端部が前記フレームの通過を許容する開放構造であり、
前記フレームは、前記開閉扉側の端部を前記スライド機構の前記端部に当接して前記箱体内への差込みが規制されるものである、請求項１に記載の盤ボックス。
【請求項３】
前記開口部を、前記フレームの辺の左右端にそれぞれ設けた、請求項１に記載の盤ボックス。
【請求項４】
前記箱体は底面側にアクセス用の開口を有する、請求項１に記載の盤ボックス。
【請求項５】
前記フレームは、前記開閉扉側に操作用の取手を有する、請求項１に記載の盤ボックス。
【発明の詳細な説明】
【技術分野】
【０００１】
本発明は盤ボックス、特に電気機器等を屋外に設置する盤ボックスに関する。
【背景技術】
【０００２】
屋外に設置した例えば監視対象物を監視カメラにより監視することが行われている。この場合、監視カメラからの映像データなどを遠隔地の監視室に伝送するために種々の電気機器等を屋外に設置する必要がある。
【０００３】
従来、電気機器等を屋外に設置するためには盤ボックスが用いられ、その盤ボックス内には複数の電気機器等が内装され、それらの電気機器等の相互間に配線処理などが施されていた。設置後には、盤ボックスを用いて屋外に設置された電気機器等は、定期的にメンテナンスを施す必要がある。
【０００４】
前記配線処理及び前記メンテナンスは盤ボックスに内装された電気機器等の正面側ばかりでなく、その背面側や側面側で行われる場合もあるため、盤ボックスには正面，背面及び側面に作業用の開閉扉を設けているものもあった。
【０００５】
従来の盤ボックスを用いて電気機器等を屋外に設置する場合を説明する。事前に屋内等で、複数の電気機器等の相互間に配線処理などを施して組み立て、盤ボックス内に内装し、十分な動作が可能か評価を行う。その後、盤ボックス内に複数の電気機器等を内装した状態で梱包して、屋外の該当の設置箇所まで盤ボックスごと搬送し、盤ボックス内に複数の電気機器等を内装した状態で、設置箇所に据付工事を実施していた。
【先行技術文献】
【特許文献】
【０００６】
【特許文献１】特開平１０−１２７３８７号
【発明の概要】
【発明が解決しようとする課題】
【０００７】
上述したように、従来の盤ボックスを用いて電気機器等を屋外に設置するには、屋内等で予め盤ボックス内に電子機器等を内装し、その動作に関しての評価後でなければ、設置箇所である屋外に盤ボックスを据え付ける工事が実施できなかった。これは、盤ボックス内に内装する電子機器が複雑な配線処理などを施して構成されており、設置箇所に据え付ける状態での評価を実施した後、電子機器等を分解することは、再組み立て時に人為的な誤りなどによる不具合を混入する原因となるためである。よって、予め屋内等で電子機器等を盤ボックス内に内装し、その動作について十分な評価を実施する作業と、設置箇所にその電子機器等が内装された盤ボックスを据え付ける工事を並行して行うことができないという課題があった。
【０００８】
また、電子機器等が内装された状態の盤ボックスの据付工事を行う際、その工事の際に生じる振動、衝撃などにより、内装された電子機器等に損傷を与えるリスクがあった。
【０００９】
さらに、また、設置箇所への据付工事の後、定期的なメンテナンスを実施する際に、その利便性のために、前記盤ボックスの正面，背面及び側面に作業用の開閉扉を設けている場合、その剛性が低下してしまうという課題があった。
【００１０】
これらの課題を解決する一つの提案が特許文献１によってなされている。この特許文献１には、手前側が扉によって開閉可能に設けられたキャビネット本体内に収納ユニットを内装し、前記収納ユニットには各種の電子機器が搭載されるとともに、当該収納ユニットは、ガイド機構を介してキャビネット本体に対して前後方向に移動可能に支持される構造の収納キャビネットが開示されている。
【００１１】
特許文献１に示された収納キャビネットは、電子機器の入れ替えや、配線の変更等が生じた場合には、前記収納ユニットを手前側に引き出すことにより、収納ユニットの後方に確保された空間から収納ユニットの後方へアクセスを可能し、比較的ゆったりとした空間にて配線作業を行うものである。
【００１２】
しかしながら、特許文献１では収納ユニットをキャビネット本体から完全に抜き取る構造ではないため、電気機器を収納ユニットに搭載するには、評価した電気機器を一旦分解してその分解した電気機器をキャビネット本体の設置場所に搬入し、収納ユニット上で再組み立てを行う必要があり、キャビネット本体と電気機器の評価とを並行して行うことができないという問題がある。
【００１３】
さらに、特許文献１では、キャビネット本体からの収納ユニットの引出量は、キャビネット本体内の前後方向でのガイド機構のガイド量に制限されてしまうため、収納ユニットの後方に確保されたる空間の広さには限界があり、配線作業に支障が生じる場合もある。
【００１４】
特許文献１においては、収納ユニットがキャビネット本体のガイド機構に連結されて収納ユニットのみをキャビネット本体から抜き取ることは不可能であり、設置後も機器を収納ユニットから分解してメンテナンスを実行することになり、メンテナンスを行った後に修理のために持ち帰って評価・調整を行う必要がある場合、必ず分解して再組み立てを行う必要があるために再組み立て時に評価・調整後での機器相互間の性能などを発揮させるには熟練が必要になる。また、再組み立てを行う際に人為的な誤りなどによる不具合を混入するリスクがあった。
【００１５】
本発明の目的は、盤ボックスの箱体の設置と内装される電気機器等の評価とを並行して行い、且つ箱体に内装するフレームへ電気機器等を誤って搭載するのを回避する手段を講じた盤ボックスを提供することにある。
【課題を解決するための手段】
【００１６】
前記目的を達成するため、本発明に係る盤ボックスは、機器を設置する盤ボックスにおいて、一面のみに開閉扉を設けた箱体と、機器が搭載された状態でスライド機構を介して前記開閉扉側から抜き差し自在に前記箱体に内装されたフレームと、前記機器の搭載用ピッチで前記フレームに多段に開口された複数のピッチ孔と、前記スライド機構と反対側の前記フレームの辺に前記搭載用ピッチと異なる規格で前記フレームに開口された開口部と、前記開口部を介して前記フレームを前記箱体内に着脱自在に固定する固定具と、を有することを特徴とするものである。
【発明の効果】
【００１７】
以上のように本発明によれば、フレームに機器を取付けるための搭載ピッチで設けたピッチ孔と、このピッチ孔と異なる規格で設けた開口部とを別々に設けているため、ピッチ孔と規格が異なる前記開口部により、フレームを箱体に確実に固定することができるばかりでなく、前記開口部の位置を参照することにより、フレームの前後を確認し、機器のフレームへの搭載方向を間違うことを回避できる。
【００１８】
さらに、フレームを箱体に対して抜き差し自在としたため、事前に箱体から抜き取ったフレームに機器を搭載した状態で評価を行い、並行して設置箇所に箱体の据付工事を実施することが可能となる。また、前記評価後には、分解せずにフレームを単位として機器を屋外の箱体まで搬入しフレームを箱体に差し込むことにより、箱体内に機器を組み付けることができ、箱体の据付工事における電子機器等への振動、衝撃による損傷の影響を回避することができるという効果を有するものである。
【図面の簡単な説明】
【００１９】
【図１】本発明の実施形態に係る盤ボックスの開閉扉を開扉して箱体にフレームを内装した状態を正面側から示す正面図である。
【図２】（ａ）は本発明の実施形態に係る盤ボックスの箱体を示す斜視図、（ｂ）は図２に示す箱体の底面を示す底面図である。
【図３】本発明の実施形態に係る盤ボックスの開閉扉を開扉して箱体にフレームを内装した状態を左側面側から示す側面図である。
【図４】本発明の実施形態に係る盤ボックスの箱体に内装するフレームを斜め方向から示す斜視図である。
【発明を実施するための形態】
【００２０】
次に、本発明の実施形態を図に基づいて詳細に説明する。
本発明の実施形態に係る盤ボックスは図１及び図４に示すように、箱体１と、フレーム２とを有しており、箱体１を設置箇所に設置し、これとは並行して、フレーム２に内装用の機器３，３，３・・・を多段に搭載し、機器３，３，３・・・を搭載したままでフレーム２を箱体１の設置位置に搬入し、そのフレーム２を箱体１内に抜き取り自在に内装するものである。
【００２１】
箱体１は図１及び図３に示すように、底板１ａ，天板１ｂ，３面の側板１ｃを有している。底板１ａの３辺には側板１ｃの下辺が溶接されて３面の側板１ｃが起立しており、３面の側板１ｃの隣接する縦辺が互いに溶接されている。さらに、３面の側板１ｃの上辺には天板１ｂが溶接されて、底板１ａと天板１ｂと３面の側板１ｃとの組み合わせにより、内部にフレーム２を内装する空間を確保し前面のみを開口した箱型構造を構築してある。
【００２２】
底板１ａの３辺と３面の側板１ｃの下辺との突き合わせ箇所、３面の側板１ｃの隣接した突き合わせ箇所、３面の側板１ｃの上辺と天板１ｂとの突き合わせ箇所には防水処理が施されている。なお、箱体１の設置場所によっては、これらの突き合わせ箇所に防水処理を施す必要はないが、特に箱体１を屋外に設置する場合には、防水処理を施す必要がある。その防止処理としてはすでに開発されている汎用の防水処理を用いればよい。
【００２３】
箱体１は図１及び図３に示すように、底板１ａ，天板１ｂ，３面の側板１ｃを組み合わせた内部に空間を確保した箱型構造であるから、その全面は閉塞されており、図２（ａ）及び図３に示すように、その前面に開閉扉５を図示しない蝶番により開閉可能に取り付けている。従って、箱体１の前面は開閉扉５を閉扉した状態で閉塞され、開閉扉５を開扉すると開放されることとなる。
【００２４】
フレーム２は図１及び図３並びに図４に示すように、４本の支柱２ａを有しており、箱体１に内装する機器３が棚板或いはアタッチメント９に支えられて上下に多段に搭載されている。内装される機器３が電気機器の場合、フレーム２に搭載された状態でその相互間に配線処理が施さる。
【００２５】
フレーム２は、複数の機器３を多段に搭載した状態でスライド機構７を介して箱体１の内部空間に抜き差し自在に内装されている。
具体的に説明すると、箱体１の開閉扉５を挟んで左右に配置される２つの側板１ｃの内側の下辺側にスライド機構７のレール７ａが開閉扉５に対して前後方向に水平に敷設してある。スライド機構７のレール７ａは、開閉扉５側の端部がフレーム２の通過を許容する開放構造に構成してある。
【００２６】
箱体１は、開閉扉５を挟む左右の対面する側板１ｃ，１ｃの内側の下辺に開閉扉５に対して前後方向に伸びるスライド機構７を備えており、そのスライド機構７のレール７ａが水平に敷設してある。
一方、箱体１に内装されるフレーム２は、その下辺にスライド用のレール２ｂを箱体１の開閉扉５に対して前後方向に備えており、そのレール２ｂが水平に敷設してある。
【００２７】
フレーム２のレール２ｂは箱体１のレール７ａでスライド可能に支持され、フレーム２のレール２ｂは箱体１のレール７ａ上を箱体１の開閉扉５に対して前後方向にスライドし、フレーム２はスライド機構７を介して箱体１に抜き差し自在に内装されることとなる。
【００２８】
さらに、箱体１は、そのスライド機構７の開閉扉５側の端部がフレーム２の通過を許容する開放構造になっており、フレーム２を箱体１から完全に抜き取れるように構成されている。
【００２９】
フレーム２の４本の支柱２ａは、その高さ方向に機器３を搭載するための搭載ピッチでピッチ孔８を多段に渡って備えている。したがって、フレーム２にはピッチ孔８を使用して棚板或いはアタッチメント９が取り付けられ、その棚板或いはアタッチメント９により機器３が支柱２ａの高さ方向で多段に搭載されることとなる。
【００３０】
さらに、フレーム２の支柱２ａは、スライド機構７の反対側の上辺に、ピッチ孔８と異なる規格の開口部１０を左右に設けている。図示した例では、前記開口部１０はスライド機構７の反対側の上辺に設けるとともに、スライド機構７側の下辺の左右にも設けている。
一方、箱体１の開閉扉側には、フレーム２の開口部１０に対向させて当て板１１が設けられており、フレーム２の開口部１０に係止した固定具１２を箱体１の当て板１１に係合させることによりフレーム２を箱体１に着脱自在に固定している。
【００３１】
なお、フレーム２を箱体１に機器３の重量に打ち勝って確実に固定できる場合には、開口部１０は、フレーム２の開閉扉５側に設けるにあたって少なくともスライド機構７と反対側の上辺に設けてあればよく、フレーム２の下辺すなわちスライド機構７側に設ける必要はない。フレーム２の上辺と下辺とに開口部１０を設けることにより、機器３の重量に関係なくフレーム２を箱体１に確実に固定することができる。
【００３２】
開口部１０をスライド機構７と反対側のフレーム２に設けることにより、フレーム２の上辺側が固定具１２で箱体１に固定され、フレーム２の下辺側は箱体１のスライド機構７で支持されているので、フレーム１の上段側に搭載した機器３の重量が下段側の機器３よりも重い場合であっても、フレーム１の上辺側が開閉扉５側に傾くことはなく、フレーム２を箱体１に確実に固定することができる。
【００３３】
フレーム２の上辺側に加えて下辺側に開口部１０を開口し、その開口部１０を使ってフレーム２を箱体１に固定具１２により固定する構成を採用することにより、フレーム２の上辺及び下辺を確実に箱体１に固定することができる。
しかも、開口部１０はフレーム２のうち開閉扉５側に揃えて設けているため、開閉扉５を開扉した状態ですべての開口部１０が箱体１の正面側に露出することとなり、開口部１０を使用してフレーム２を箱体１に装填する作業が容易に行うことができる。
【００３４】
フレーム２は、開閉扉５側の前縁に操作用の取手６を備えている。フレーム２を箱体１から抜き取る際、フレーム２を箱体１の前方に引き出すのに伴って、フレーム２のレール２ｂがスライド機構７のレール７ａよりも前方に引き出されるので、フレーム２は前方に傾く傾向が高くなる。作業者は、取手６によりフレーム２の前端を引き上げてフレーム２の前端が前方に傾くのを修正し、フレーム２を水平の保持しながら、箱体１から完全に抜き取ることになる。
【００３５】
フレーム２を箱体１へ差し込む際には、フレーム２の前縁側が最後に差し込まれることとなり、フレーム２が前縁側に傾くことになるので、フレーム２の前縁側を取手６により引き上げてフレーム２を水平に保持しながら、フレーム２を箱体１内に完全に差し込む。
【００３６】
また、箱体１は図２（ｂ）に示すように、その底板１ａにアクセス用の開口１３が開口されている。箱体１に内装された機器３が電気機器である場合には電源が必要であることから、底板１ａの開口１３を通して電源ケーブルなどを箱体１内に引き込み、その電源ケーブルをフレーム２に搭載された電源設備に配線する。この場合、フレーム２の下部には、箱体１の開口に通じる空間を確保しているから、この空間を利用して開口１３から引き込んだ電源ケーブルを引き回してフレーム２の電源設備に配線する。なお、開口１３を通して引き込むケーブルは上述した電源ケーブルに限られるものではなく、信号ケーブルなども同様に箱体１の開口１３を通して引き込んでもよいものである。
【００３７】
［盤ボックスの設置］
次に、本発明の実施形態に係る盤ボックスを設置する場合について説明する。
箱体１からフレーム２を抜き取り、その箱体１を設置箇所に搬入して、据付工事を行って箱体１を例えば屋外に設置する。
【００３８】
一方、フレーム２には、４本の支柱２ａにピッチ孔８を使用して棚板或いはアタッチメント９を取り付け、その棚板或いはアタッチメント９を用いて機器３をフレーム２の高さ方向に多段に搭載する。事前に屋内等でフレーム２に搭載した状態で機器３の評価を実施する。
【００３９】
評価後の機器（主に電子機器等）３をフレームに搭載したまま梱包し、設置箇所まで搬出する。事前の機器の評価と並行して進められていた据付工事が完了した箱体１の設置箇所まで搬入する。
そして、箱体１の開閉扉５を開扉し、フレーム２のレール２ｂを箱体１のスライド機構７レール７ａにスライド自在に支持させ、箱体１のスライド機構７のレール７ａ上にフレーム２のレール２ｂをスライドさせることにより、フレーム２を箱体１の収容空間内に差し込む。
【００４０】
フレーム１の開閉扉側の支柱２ａが箱体１の開閉扉側のレール７ａの端部に当接することにより、フレーム２の箱体１に位置決めして差し込まれる。この状態でフレーム２の開口部１０を使用して固定具１２によりフレーム２を箱体１に固定する。
その後、開閉扉５を閉扉してフレーム２を箱体１に内装する。この状態で機器３はフレーム２に搭載された状態で箱体１に内装されることとなる。これにより、機器３を盤ボックスにより例えば屋外に設置する作業が完了する。
【００４１】
［盤ボックスの点検］
盤ボックスの設置後に、機器３をメンテナンスする場合には、開閉扉５を開扉し、固定具１２を緩めることで、フレーム２を箱体１から容易に切り離すことが出来る。その後、フレーム２の取手６を握ってフレーム２を箱体１のスライド機構７に沿って前方向にスライドさせる。
【００４２】
箱体１のスライド機構７のレール７ａは、開閉扉５側の端部が開放構造であるため、フレーム２の支柱２ａは箱体１のスライド機構７に規制されることなく、スライド機構７のレール７ａから離脱することとなり、このため、フレーム２は箱体１から完全に抜き取られる。
これにより、フレーム２は、前面、上面及び３面の側面が箱体１で覆われることなく、完全に露出することになる。
従って、フレーム２に搭載された状態において機器３のメンテナンスが実施されることとなる。
【００４３】
以上のように本発明の実施形態によれば、機器が搭載された状態でスライド機構を介して開閉扉側から抜き差し自在にフレームを箱体に内装したので、箱体をフレームから完全に切り離すことができ、箱体の設置とフレームに搭載した機器の評価作業とを並行して実施することができる。
【００４４】
本発明の実施形態によれば、機器の搭載用ピッチでフレームに多段に開口された複数のピッチ孔と、前記搭載用ピッチと異なる規格で設けた開口部とを有しており、その開口部をスライド機構と反対側のフレームの辺に設けているため、その開口部とピッチ孔との規格が異なることを利用して、その開口部をフレームの正面側に位置させることにより、フレームの向きを正規の向きにセットして機器を多段に搭載することができる。
【００４５】
この発明は、その本質的特性から逸脱することなく数多くの形式のものとして具体化することができる。よって、上述した実施形態は専ら説明上のものであり、本発明を制限するものではないことは言うまでもない。
【符号の説明】
【００４６】
１    箱体
１ａ  底板
１ｂ  天板
１ｃ  側板
２    フレーム
２ａ  支柱
２ｂ  レール（フレーム側）
３    機器
５    開閉扉
６    取手
７    スライド機構
７ａ  レール（箱体側）
８    ピッチ孔
９    棚板またはアタッチメント
１０  開口部
１１  当て板
１２  固定具
１３  開口
【図１】
2014199860.tif 000003
【図２】
2014199860.tif 000004
【図３】
2014199860.tif 000005
【図４】
2014199860.tif 000006